【手続補正書】
【提出日】令和2年10月1日(2020.10.1)
【手続補正１】
【補正対象書類名】特許請求の範囲
【補正対象項目名】全文
【補正方法】変更
【補正の内容】
【特許請求の範囲】
【請求項１】
生体認証のための認証モジュール、および該認証モジュールにより認証処理を行う際に必要なユーザの生体情報を格納する耐タンパー性を備える記憶手段を備える情報処理端末と、音声の入力を受け付けて該入力に対応する処理を実行する音声操作装置と、を含むシステムであって、
前記音声操作装置は、
ユーザの音声の入力に応じて、外部システムに対する該入力に対応する処理要求を行う第１の要求手段と、
前記外部システムから、認証要求を受信する受信手段と、
前記認証要求に従い、無線通信を介して、前記ユーザの情報処理端末に対する認証処理を要求する第２の要求手段と、
前記外部システムに対して、前記情報処理端末からの認証結果を送信する送信手段と、を有し、
前記情報処理端末は、
前記音声操作装置からの認証処理の要求に応じて、前記認証モジュールおよび前記記憶手段に格納された生体情報を用いた生体認証処理を実行する実行手段と、
前記生体認証処理による認証結果を前記音声操作装置に送信する送信手段と、を有する、ことを特徴とするシステム。
【請求項２】
前記生体認証処理による認証結果は、前記記憶手段に生体情報と関連付けて格納されている秘密鍵と、該秘密鍵のペアとなる公開鍵が登録された前記外部システムが発行した検証用データとを用いることで作成された署名を含む、ことを特徴とする請求項１に記載のシステム。
【請求項３】
前記外部システムから受信する認証要求には、前記音声操作装置に音声の入力を行ったユーザの情報処理端末の認証モジュールを特定する識別情報が含まれ、
前記音声操作装置の第２の要求手段は、前記認証モジュールの識別情報に基づき特定した前記情報処理端末の認証モジュールに前記認証処理を要求する、ことを特徴とする請求項１または２に記載のシステム。
【請求項４】
前記情報処理端末は、生体情報に関連付けて生成される公開鍵を含むユーザの登録情報を前記外部システムに登録するために、生体情報センサにより生体情報を読み取るための画面を表示する、ことを特徴とする請求項１乃至３のいずれか一項に記載のシステム。
【請求項５】
前記情報処理端末は、前記外部システムに前記登録情報の登録を要求する第３の要求手段を有し、
前記外部システムは、前記情報処理端末からの登録の要求に応じて、該情報処理端末の認証モジュールと、該情報処理端末のユーザが利用する音声操作装置とを紐付けて管理する、ことを特徴とする請求項４に記載のシステム。
【請求項６】
前記登録情報が登録された外部システムとは異なる外部システムから受信する認証要求には、前記音声操作装置に音声の入力を行ったユーザの情報処理端末の認証モジュールを特定する識別情報が含まれず、
前記音声操作装置は、前記情報処理端末に対する前記認証処理を要求する際に、該音声操作装置と紐付く該情報処理端末の認証モジュールの識別情報を、前記登録情報が登録された外部システムから取得することを特徴とする請求項５に記載のシステム。
【請求項７】
前記情報処理端末は、前記外部システムに前記登録情報の登録解除を要求する第４の要求手段を有し、
前記外部システムは、前記情報処理端末からの登録解除の要求に応じて、該当するユーザの登録情報を削除する、ことを特徴とする請求項４乃至６のいずれか一項に記載のシステム。
【請求項８】
前記情報処理端末は、前記音声操作装置からの認証処理の要求に応じて前記生体認証処理を実行する際に、生体情報センサにより生体情報を読み取るための画面を表示する、ことを特徴とする請求項１乃至７のいずれか一項に記載のシステム。
【請求項９】
前記音声操作装置は、前記認証結果に応じた検証の成功に従い、認証されたユーザ専用のサービスを外部システムから提供され、該音声操作装置でユーザ専用のサービスを実行する、ことを特徴とする請求項１乃至８のいずれか一項に記載のシステム。
【請求項１０】
生体認証のための認証モジュール、および該認証モジュールにより認証処理を行う際に必要なユーザの生体情報を格納する耐タンパー性を備える記憶手段を備える情報処理端末と、音声の入力を受け付けて該入力に対応する処理を実行する音声操作装置と、を含むシステムの制御方法であって、
前記音声操作装置が、ユーザの音声の入力に応じて、外部システムに対する該入力に対応する処理要求を行う工程と、
前記音声操作装置が、前記外部システムから、認証要求を受信する工程と、
前記音声操作装置が、前記認証要求に従い、無線通信を介して、前記ユーザの情報処理端末に対する認証処理を要求する工程と、
前記情報処理端末が、前記音声操作装置からの認証処理の要求に応じて、前記認証モジュールおよび前記記憶手段に格納された生体情報を用いた生体認証処理を実行する工程と、
前記情報処理端末が、前記生体認証処理による認証結果を前記音声操作装置に送信する工程と
前記音声操作装置が、前記外部システムに対して、前記情報処理端末からの認証結果を送信する工程と、を有する、ことを特徴とするシステムの制御方法。
【請求項１１】
音声の入力を受け付けて該入力に対応する処理を実行する音声操作装置であって、
ユーザの音声の入力に応じて、外部システムに対する該入力に対応する処理要求を行う第１の要求手段と、
前記外部システムから、認証要求を受信する受信手段と、
前記認証要求に従い、無線通信を介して、前記ユーザの情報処理端末であって、生体認証のための認証モジュール、および該認証モジュールにより認証処理を行う際に必要なユーザの生体情報を格納する耐タンパー性を備える記憶手段を備える情報処理装置に対する認証処理を要求する第２の要求手段と、
前記情報処理端末から、前記認証処理の要求に応じて、前記認証モジュールおよび前記記憶手段に格納された生体情報を用いた生体認証処理を実行した認証結果を送信する送信手段と、を有する、ことを特徴とする音声操作装置。
【請求項１２】
音声の入力を受け付けて該入力に対応する処理を実行する音声操作装置の制御方法であって、
ユーザの音声の入力に応じて、外部システムに対する該入力に対応する処理要求を行う工程と、
前記外部システムから、認証要求を受信する工程と、
前記認証要求に従い、無線通信を介して、前記ユーザの情報処理端末であって、生体認証のための認証モジュール、および該認証モジュールにより認証処理を行う際に必要なユーザの生体情報を格納する耐タンパー性を備える記憶手段を備える情報処理装置に対する認証処理を要求する工程と、
前記情報処理端末から、前記認証処理の要求に応じて、前記認証モジュールおよび前記記憶手段に格納された生体情報を用いた生体認証処理を実行した認証結果を送信する工程と、を有する、ことを特徴とする音声操作装置の制御方法。
【請求項１３】
音声の入力を受け付けて該入力に対応する処理を実行する方法をコンピュータに実行させるためのプログラムであって、前記方法は、
ユーザの音声の入力に応じて、外部システムに対する該入力に対応する処理要求を行う工程と、
前記外部システムから、認証要求を受信する工程と、
前記認証要求に従い、無線通信を介して、前記ユーザの情報処理端末であって、生体認証のための認証モジュール、および該認証モジュールにより認証処理を行う際に必要なユーザの生体情報を格納する耐タンパー性を備える記憶手段を備える情報処理装置に対する認証処理を要求する工程と、
前記情報処理端末から、前記認証処理の要求に応じて、前記認証モジュールおよび前記記憶手段に格納された生体情報を用いた生体認証処理を実行した認証結果を送信する工程と、を有する、ことを特徴とするプログラム。
【請求項１４】
ユーザの認証の結果を検証する機能を有するサービスを提供する外部システムと、生体認証のための認証モジュール、および該認証モジュールにより認証処理を行う際に必要なユーザの生体情報を格納する耐タンパー性を備える記憶手段を備える情報処理端末と、音声の入力を受け付けて該入力に対応する処理を実行する音声操作装置と、を含むシステムであって、
前記音声操作装置は、
ユーザの音声の入力に応じて、前記外部システムに対する該入力に対応する処理要求を行う第１の要求手段を有し、
前記情報処理端末は、
前記音声操作装置で行われた前記処理要求に基づく認証処理の要求に応じて、前記ユーザにより提示された生体情報と、前記記憶手段に格納された生体情報と、を用いた前記認証モジュールによる生体認証処理を実行する実行手段を有し、
前記外部システムは、
前記情報処理端末で実行された前記生体認証処理による認証の成功に応じて作成される情報を受信して、該受信した情報を検証する検証手段と、
前記検証手段による検証に成功した場合、前記処理要求に対応するサービスを提供する提供手段と、
前記提供されたサービスに関する結果を、前記音声操作装置に送信する送信手段と、を有する、
ことを特徴とするシステム。
【請求項１５】
前記情報処理端末では、前記記憶手段に、前記生体情報に紐づけて秘密鍵が格納され、
前記外部システムには、該秘密鍵に対応する公開鍵が登録され、
前記外部システムの前記検証手段は、前記情報処理端末で実行された前記生体認証処理による認証の成功に応じて作成される情報として、前記外部システムが発行した検証用データと前記秘密鍵とを用いて作成された署名を、前記登録されている公開鍵を用いて検証する、ことを特徴とする請求項１４に記載のシステム。
【請求項１６】
前記外部システムでは、前記ユーザの識別情報に関連付けて、前記公開鍵が登録される、ことを特徴とする請求項１５に記載のシステム。
【請求項１７】
前記外部システムにより提供されるサービスは、ホテルにチェックインした前記ユーザに対して提供されるルームサービスである、ことを特徴とする請求項１４乃至１６のいずれか１項に記載のシステム。
【請求項１８】
前記外部システムでは、前記ホテルにチェックインした前記ユーザの識別情報とホテルのルームナンバーと前記音声操作装置の識別情報とを紐づけて管理する、ことを特徴とする請求項１７に記載のシステム。
【請求項１９】
前記外部システムにより提供されるサービスは、前記ユーザが契約している音楽配信サービスであり、
前記音声操作装置は、前記提供手段により提供されるサービスとして、音楽配信サービスにより提供された音楽を再生することを特徴とする請求項１４乃至１６のいずれか１項に記載のシステム。
【請求項２０】
ユーザの認証の結果を検証する機能を有するサービスを提供する外部システムと、生体認証のための認証モジュール、および該認証モジュールにより認証処理を行う際に必要なユーザの生体情報を格納する耐タンパー性を備える記憶手段を備える情報処理端末と、音声の入力を受け付けて該入力に対応する処理を実行する音声操作装置と、を含むシステムにおける制御方法であって、
前記音声操作装置が、
ユーザの音声の入力に応じて、前記外部システムに対する該入力に対応する処理要求を行う第１の要求工程を有し、
前記情報処理端末が、
前記音声操作装置で行われた前記処理要求に基づく認証処理の要求に応じて、前記ユーザにより提示された生体情報と、前記記憶手段に格納された生体情報と、を用いた前記認証モジュールによる生体認証処理を実行する実行工程を有し、
前記外部システムが、
前記情報処理端末で実行された前記生体認証処理による認証の成功に応じて作成される情報を受信して、該受信した情報を検証する検証工程と、
前記検証工程で検証に成功した場合、前記処理要求に対応するサービスを提供する提供工程と、
前記提供されたサービスに関する結果を、前記音声操作装置に送信する送信工程と、を有する、
ことを特徴とする制御方法。